(57)【要約】本発明は，原付車両用トップボックス又はスーツケースを開閉とするための，並びにそのようなトップボックス又はスーツケースを原付車両に固定されている支持要素，一般的には特殊プレートに対して結合・解放するための装置に関する。本発明に係る装置は，それぞれトップボックス又はスーツケースの開閉と，トップボックス又はスーツケースの支持要素に対する結合・解放を行うためのボタンのロック及びロック解除並びに同時ロックをキーロックにより手動操作可能とすると共に，ブルートゥース通信モジュール等で構成された電子制御ユニットを介してトップボックスの開閉のみを自動的に遠隔操作可能とされている。【選択図】図４
2021501715.tif 000002
【特許請求の範囲】
【請求項１】
原付車両用のトップボックス又はスーツケース（１０）を開閉するための，並びに該トップボックス／スーツケースを，原付車両に固定された支持構造に対して結合・解放するための装置であって，前記トップボックス／スーツケースが，前記トップボックス（１０）本体を形成する下側シェル（１２）と，前記トップボックス（１０）のカバーを形成するよう，前記下側シェル（１２）にヒンジ結合された上側シェル（１４）とを備え，前記下側シェル（１２）の底部（１６）に，原付車両に固定された支持要素（１８）に対するリバーシブル拘束手段が設けられ，前記下側シェル（１２）の外面に対してプレート（２０）が関連付けられており，該プレート上に，
・上側ボックスを支持プレートから解放するための，前記リバーシブル拘束手段に作動接続された第１ボタンと，
・前記上側シェルを前記下側シェルに対して開放させるよう，前記プレート（２０）にヒンジ結合された結合手段（３６，３８）に作動接続され，前記上側シェル（４２）と一体に構成された対応する結合手段（４２）に選択的に係合可能とした第２のボタン（２４）と，
・ロック用ブロック（２６）と，
・前記ロック用ブロック（２６）に対して剛性回転可能に拘束され，回転作動することにより，前記第１のボタン（２２）及び前記第２のボタン（２４）の同時ロックモードから，前記第１のボタン（２２）及び前記第２のボタン（２４）を同時にロック解除するロック解除モードに，又はその逆に切り替え可能とする第１のアンダーロック本体（８２）と，
・第２のボタン（２４）をロックするロックモードから，第２のボタン（２４）をロック解除するロック解除モードに，又はその逆に切り替えるよう回転作動させ得る第２のアンダーロック本体（８３）と，
が配置されている装置において，前記第１のアンダーロック本体（８２）は，前記第２アンダーロック本体（８３）を回転駆動そ，その際に前記第１ボタン（２２）及び前記第２ボタン（２４）を同時ロックするための前記ロックモードから，前記第１ボタン（２２）及び前記第２ボタン（２４）を同時ロック解除するための前記ロック解除モードに切り替えるように構成されている，開閉及び結合・解放装置。
【請求項２】
請求項１に記載の装置であって，前記第１のアンダーロック本体（８２）が半径方向に突出する歯（９０）を備え，該歯（９０）は前記第１のボタン（２２）の歯（５０）と係合して前記第１のボタン（２２）の作動を防止することを特徴とする，開閉及び結合・解放装置。
【請求項３】
請求項１又は２に記載の装置であって，前記第１のアンダーロック本体（８２）は，前記第２のアンダーロック本体（８３）における半径方向突部に形成されたシート（９２０）内に挿入し得るよう半径方向に突出させたフック（９１）を備え，前記第１ボタン（２２）及び前記第２ボタン（２４）の同時ロックモードから，前記第１ボタン（２２）及び前記第２ボタン（２４）の同時ロックモードへの切り替えに際して，前記第１のアンダーロック本体（８２）が前記第２のアンダーロック本体（８３）を回転駆動する構成とされていることを特徴とする，開閉及び結合・解放装置。
【請求項４】
請求項１〜３の何れか一項に記載の装置であって，前記第２のアンダーロック本体（８３）を回転作動させることにより，前記第２のボタン（２４）の前記ロックモードから，前記第２のボタン（２４）のロック解除モードへの切り替え，又はその逆の切り替えを可能とするための作動手段（８）を備えることを特徴とする，開閉及び結合・解放装置。
【請求項５】
請求項１〜４の何れか一項に記載の装置であって，前記作動手段（８）が，前記第２のアンダーロック本体（８３）の一部に周方向に設けられた円形ラック（９３）を備え，該円形ラックが，モータ（８４）で作動するピニオン（８５）と係合することを特徴とする，開閉及び結合・解放装置。
【請求項６】
請求項１〜５の何れか一項に記載の装置であって，前記作動手段（８）が，遠隔制御可能な電子制御ユニット（８６）を更に備えることを特徴とする，開閉及び結合・解放装置。
【請求項７】
請求項１〜６の何れか一項に記載の装置であって，前記電子制御ユニット（８６）が，無線通信プロトコルにより開閉コマンドを受信する構成とした通信モジュールを備えることを特徴とする，開閉及び結合・解放装置。  
【請求項８】
請求項１〜７の何れか一項に記載の装置であって，前記通信プロトコルがブルートゥースプロトコル（「ブルートゥース」は登録商標）である，開閉及び結合・解放装置。
【請求項９】
請求項７又は８に記載の装置であって，前記通信モジュールは，所定の距離内における移動端末の存在を検出した後，前記作動手段（８）を制御して前記第２のボタン（２４）をロック解除することを特徴とする，開閉及び結合・解放装置。
【請求項１０】
請求項１〜７の何れか一項に記載の開閉及び結合・解放装置であって，該装置の１つの状態を信号で伝達する異なる色彩の少なくとも１対のＬＥＤライト（８０，８１）を更に備え，該ＬＥＤライトは前記装置が関連付けられる前記トップボックス又はスーツケース（１０）の外側における可視位置に配置されることを特徴とする，開閉及び結合・解放装置。
【請求項１１】
自動二輪車用のトップボックス又はスーツケースを開閉すると共に結合・解放するためのシステムであって：
・請求項１〜７の何れか一項に記載の開閉及び結合・解放装置と；
・無線通信プロトコルにより前記装置と通信する構成とした電子ユニットを含む移動端末と；
を備える，システム。
【請求項１２】
請求項１１に記載のシステムであって，前記移動端末における前記電子ユニットが，前記無線通信プロトコルにより前記デバイスに開閉コマンド信号を送信するようプログラムされている，システム，。
【請求項１３】
請求項１１又は１２に記載のシステムであって，前記電子ユニットがスマートフォンである，システム。
【発明の詳細な説明】
【技術分野】
【０００１】
本発明は，原付車両用のトップボックス又はスーツケースを自動開閉可能とし，並びにそのようなトップボックス又はスーツケースを，原付車両に固定されている支持構造，一般的には特殊プレートに対して結合・解放可能とする装置に関する。以下，説明の簡潔化のために装置を，典型的には車両に一体に設けた特定のラゲッジキャリア構造上に既知の態様で配置されるトップボックスに関連させて使用する実施例について記載する。しなしながら，本発明は，車両に一体に設けた固定支持体に結合される任意形式の，例えば軟質型や横置き型のスーツケースにも適用可能である。
【０００２】
本発明に係る装置は，トップボックスの開閉を許容する手段と，トップボックスの支持要素に対する結合・解放を許容するための手段の両者を同時に操作可能とするのみならず，トップボックスの支持要素に対する結合／解放手段を操作することなく，トップボックスの開閉手段のみを選択的に操作可能とするものである。
【０００３】
本発明に係る装置の更なる特徴は，ロック操作のために一般的に使用されるキーを使用せずに装置を遠隔操作できることである。
【背景技術】
【０００４】
荷物，ヘルメット又はその他のアクセサリを収納可能としたトップボックス，スーツケース又はバッグの使用は原付車両の技術分野において既知であり，これらは車両に設けた専用の支持要素，例えば後部荷台又はサイドスーツケース用支持フレームに対して着脱可能に固定される。
【０００５】
トップボックスは通常は車両の座席後方に設けられた荷台に関連付けられているが，他の既知態様において，バッグ及び手荷物は，車両の後部側面に設けられた支持フレームに関連付けられる。何れの場合にも，一般的には例えば支持プレートからなる特別な支持要素が使用される。この支持プレートは，原付車両における荷台等の構造体に対して安定的に固定され，トップボックス，バッグ又はスーツケースには，一般的に支持プレートに対して係止するためのフック手段が設けられている。 
【０００６】
通常，このようなフック手段は，トップボックス又はスーツケースを支持プレートに着脱可能に結合するものであり，プラスチック又は金属材料又は他の適宜材料で構成することのできるトップボックス又はスーツケースの下面に設けられる。
【０００７】
フック手段は，通常，スライド式のラッチ要素を含み，支持プレートに設けられた特別な突起と係合させてトップボックス又はスーツケースをプレート自体に対して堅固に拘束できるものである。 
【０００８】
安全ロックを装備することのできるボタン解放機構により，ラッチを後退させてトップボックス又はスーツケースを支持プレートから解放可能とすることができる。
【０００９】
原付車両用のスーツケース又はトップボックスとして，トップボックス自体の開閉と，原付車両と一体の支持要素に対するトップボックスの結合・解放の両者を達成できる装置を備えたスーツケース又はトップボックスは，例えば，本出願人の所有に係る特許文献１（欧州特許第２２４２６７７号明細書）に記載されている。
【００１０】
また，本出願人は，原付車両用スーツケースを開閉可能とし，更には該スーツケースを原付車両における固定部分に対して結合・解放可能としたロック装置に関する特許文献２（欧州特許第２６３００２６号明細書）の所有者でもある。このロック装置は，開閉及び結合・解放を同時に操作可能とするものであり，非常に簡単で経済的であり，かつ，特に機能的な構成を有している。特許文献２に記載されている代替的な実施形態において，操作は，例えば電波又は赤外線により作動可能とした電磁アクチュエータによっても達成される。 
【００１１】
しかしながら，そのような既知形式の装置は，依然として改良の余地がある。
【００１２】
より具体的に，既知の装置は，トップボックス又はスーツケースの結合・解放を行うことなく，トップボックス又はスーツケースの開閉のみを選択的に操作し得るものではない。
【先行技術文献】
【特許文献】
【００１３】
【特許文献１】欧州特許第２２４２６７７号明細書
【特許文献２】欧州特許第２６３００２６号明細書
【発明の概要】
【００１４】
それ故，本発明の課題は，原付車両用のトップボックス又はスーツケースを開閉及び結合・解放するための装置を提供し，該装置を選択的な駆動に従って作動可能とし，トップボックス又はスーツケースの開閉操作のみを，トップボックス又はスーツケースの支持要素に対する結合・解放の同時操作を伴わずに実行可能とすることである。
【００１５】
この課題の範囲内において，本発明の目的は，原付車両用のトップボックス又はスーツケースを開閉及び結合・解放するための装置を提供し，該装置を，トップボックス又はスーツケースの開閉操作と，原付車両における固定部に対するトップボックス又はスーツケースの結合・解放操作の両者を実行可能とし，従来技術において既知の形式の装置に影響を及ぼしていた欠点を解決可能とし，
ユーザーがキーを使用せずにスーツケースを開放可能とすることである。
【００１６】
本発明の他の目的は，原付車両用のトップボックス又はスーツケースを開閉可能とし，更にはそのようなトップボックス又はスーツケースを原付車両に対して結合・解放するために，電波，赤外線又はブルートゥース（登録商標）による遠隔制御で操作可能とした統合型装置を提供することである。
【００１７】
本発明に係るこれらの目的は，原付車両用のトップボックス又はスーツケースを開閉するための，並びにそのようなトップボックス又はスーツケースを原付車両に対して結合・解放するための，請求項１に記載した装置により達成される。
【図面の簡単な説明】
【００１８】
原付車両用のトップボックス又はスーツケースを開閉するための，並びにそのようなトップボックス又はスーツケースを原付車両に対して結合・解放するための本発明に係る装置の特徴及び利点を更に明確にするため，以下，添付図面を参照しつつ非限定的な実施形態について詳述する。
【図１】支持要素に適用され，本発明に係る開閉及び結合・解放装置が設けられたトップボックス又はスーツケースの一部の全体斜視図である。
【図２】図１の一部の詳細図である。
【図３】本発明に係る装置の開閉及び結合・解放構造における構成要素の分解図である。
【図４】本発明に係る装置が第１の操作モードにある場合の図１の一部の内面図である。
【図５】図４の横断面における側断面図である。
【図６】本発明に係る装置が第２の操作モードにある場合の図１の一部の内面図である。
【図７】図６の図の垂直面における側断面図である。
【図８】本発明に係る装置が第３の操作モードにある場合の図１の一部の内面図である。
【図９】図８の図の垂直面における側断面図である。
【発明を実施するための形態】
【００１９】
添付図面は，原付車両用トップボックス１０を開閉するための，更にはトップボックス１０を例えば原付車両に接続された支持要素１８，例えばプレートに対して結合・解放するための装置の分解図及び全体図である。
【００２０】
以下，例示として本発明を原付車両用のトップボックス１０について説明する。トップボックス１０は，その本体を形成する下側シェル１２と，トップボックス１０のカバーを形成する上側シェル１４とを備え，上側シェル１４は下側シェル１２にヒンジ結合されている。 
【００２１】
しかしながら，本発明に係る装置は，特に原付車両用としたスーツケース又はバッグ（形式のいかんを問わない）に関連して適用することも可能である。
【００２２】
従来技術におけると同様，トップボックス１０における下側シェル１２の底部１６には，原付車両に固定された支持プレート１８に対する可逆的な拘束手段が設けられている。下側シェル１２の外面にプレート２０が関連付けられ，同プレート上には：
・トップボックスを支持プレート１８から解放するために，前記可逆的拘束手段に作動接続される第１のボタン２２と；
・下側シェル１２に対して上側シェル１４を開放するために，プレート２０にヒンジ結合された結合手段３６，３８に作動接続され，上側シェル１４と一体の対応する結合手段４２を選択的に係合可能としたの第２のボタン２４と；
が設けられている。
【００２３】
プレート２０に関連して，ロックブロック２６も配置されている。
【００２４】
本発明に係る装置は，更に：
・ロックブロック２６に対して堅固に回転可能に拘束され，回転可能に作動して第１のボタン２２及び第２のボタン２４の同時ロックモードから第１のボタン２２及び第２のボタン２４の同時ロック解除モードまで，又はその逆に切り替えることができる第１アンダーロック本体８２と；
・第２のボタン２４のロックモードから第２のボタン２４のロック解除モードまで，又はその逆に切り替えるように回転可能に作動することのできる第２のアンダーロック本体８３と；
を備えている。
【００２５】
ここに例示される本発明の好適な実施形態において，第１のアンダーロック本体８２は，第１のボタン２２及び第２のボタン２４の同時ロックモードから第１のボタン２２及び第２のボタン２４の同時ロック解除モードまでの移行時に，第２のアンダーロック本体８３を回転させてドラッグする構成とされている。
【００２６】
第１のアンダーロック本体８２は，ロックブロック２６に直結されているので，キー２８を９０°回転させると，アンダーロック本体８２も等しく回転する。第１のアンダーロック本体８２の下側には，第２のアンダーロック本体８３が配置されている。第２のアンダーロック本体８３は，ヒンジプレート２０上に直接的に機械加工されたキーシート８９における円筒部分に結合されている。 
【００２７】
第１のアンダーロック本体８２をキー溝に取り付けると，第２のアンダーロック本体８３の位置がキー軸線に沿ってロックされ，従って第２のアンダーロック本体８３は，シート８９周りでの回転のみが可能である。 
【００２８】
好適には，第１のアンダーロック本体８２は，第１の本体から半径方向に突出する歯９０を備える。歯９０は，第１のボタン２２上に形成された対応する歯５０と係合する構成とされている。第１のアンダーロック本体８２の歯９０が第１のボタン２２の歯５０と係合すると，第１のボタン２２の作動が防止される。より正確には，支持ボックス１８からのトップボックス１０のロック解除を可能とする並進が防止される。
【００２９】
同様に，第１のアンダーロック本体８２は，半径方向に突出するフック９１を備える。フック９１は，第２のアンダーロック本体８３における半径方向の突部９２に形成されたシート９２０内に挿入可能とされている。従って，第１のボタン２２及び第２のボタン２４の同時ロックモードから，第１のボタン２２及び第２のボタン２４の同時ロック解除モードへの移行に際して，第１のアンダーロック本体８２は，第１のアンダーロック本体８２と第２のアンダーロック本体８３との間に生成される相対的拘束により，第２のアンダーロック本体８３を，シート９２０内に挿入されたフック９１によりドラグ回転させる。
【００３０】
第２アンダーロック本体８３における半径方向突部９２が結合手段レバー３６の下端５６と係合する場合，トップボックス１０を開放することは不可能である。これは，第２ボタン２４の直線運動により下側シェルに対する上側シェルの開放が防止され，従ってフック歯３８の回転，ひいては上側ボックスの開放が防止されるからである。 
【００３１】
本発明に係る装置の作動態様は，以下のとおりである。 
【００３２】
トップボックスを開放し，及び／又はプレートから解放するため，図５に示す位置に対してキー２８を９０°回転させて図７に示すキー回転モードとすることができる。
【００３３】
キーを回転させると第１のアンダーロック本体８２が回転し，従って上側フック９１が第２のアンダーロック本体８３の半径方向突部９２に形成されたシート９２０に挿入され，その結果として第１のロック本体８２により第２のアンダーロック本体８３が図６及び７に示す位置まで駆動される。 
【００３４】
この操作モードでは，半径方向突部９２と結合手段におけるレバー３６の下端５６との間に干渉がなく，従って第２のボタン２４を移動（押込み移動）させてトップボックスを開放させることが可能である。
【００３５】
同時に，この操作モードでは，第１のアンダーロック本体８２に下側における半径方向の歯９０と第１の解除ボタン２２における歯５０との間に干渉がないため，第１のボタン２２を移動（押込み移動）させてトップボックスを支持要素又はプレート１８から解放すること可能である。
【００３６】
好適には，本発明に係る装置は，第２のアンダーロック本体８３を回転で作動させるための作動手段８を更に備えることにより，第２のボタン２４のロックモードから第２のボタン２４のロック解除モードへの移行又はその逆の移行を可能としている。これにより，第１の結合・解放ボタン２２を同時に制御することなく，トップボックス１０の開閉のみを可能とすることができる。従って，本発明に係る装置は，キー２８の操作により両方のボタン，すなわち開閉用の第１のボタン２２及び結合・解放用の第２のボタン２４を同時に操作可能とするのみならず，トップボックスの開閉用の第１のボタン２２のみの選択的な操作も可能とするものである。
【００３７】
より好適には，第２のアンダーロック本体８３の作動手段８は，第２のアンダーロック本体８３の一部に亘って周方向に形成された円形ラック９３を備える。円形ラック９３は，電気モータ８４，好適には電子制御ユニット８６に接続された電気モータにより作動されるピニオン８５と噛合うものである。
【００３８】
好適には，電気モータ８４及び電子制御ユニット８６は，モータ近傍に収められている特別なバッテリにより，又は特別な接続システムを介して原付車両のバッテリ自体により電力供給が可能とされている。
【００３９】
第２のアンダーロック本体８３を制御するモータ８４を操作するためには，リモートコントロール，又はスマートフォン用のアプリケーション（専用アプリ）を使用するのが有利である。これを使用して電子制御ユニット８６に開放コマンドを送信すれば，電気モータ８４の回転を制御することにより，図８及び９に示されるトップボックスの開放モードにある第２のアンダーロック本体８３を，電気モータ８４に結合されたピニオン８５を介して回転させることができる。
【００４０】
この操作モードにおいては，第２のアンダーロック本体８３における半径方向突部９２と，レバー３６の下端５６との間に干渉がない。従って，第１のアンダーロック本体８２における歯９０と第１のボタン２２における歯５０の間の干渉が保存されている間，すなわちトップボックスが解放不可能である間に第２のボタン２４を押し込んでトップボックスを解放することができる。
【００４１】
安全上の理由から，トップボックスは，キーを使用してのみ原付車両から解放可能とすることができる。トップボックス閉鎖位置までの装置の復帰は，電子制御ユニット８６への閉鎖コマンドの送信により行わせることができる。この場合には電気モータ８４を，従ってピニオン８５及び第２のアンダーロック本体８３を，図４に示す閉鎖モードに戻るまで逆転させる。
【００４２】
電子的な観点から，本発明に係る装置における好適な構成機能の１つであるブルートゥース接続の存在により，例えば，リモートコントロール又はスマートフォンが電子制御ユニット８６の受信範囲に入った場合に，自動開放の待機状態を生成することが可能である。
【００４３】
この目的のため，好適には，電子制御ユニット８６は，所定の通信距離内における移動端末の存在を検出した後，作動手段８を制御して第２のボタン２４をロック解除できる構成とした通信モジュールを備える。 
【００４４】
装置及び携帯端末間の接続を確立するためのブルートゥース通信プロトコルを使用すれば，例えばリモコン又はより好適にはスマートフォンにより構成される端末が制御ユニットの受信範囲から離れた場合に，制御ユニットは，トップボックスの自動閉鎖を操作するようにプログラムされている。受信システムの感度を調整すれば，通信距離及び実装方法を管理することができる。
【００４５】
従って，本発明の目的は，自動二輪車用のトップボックス又はスーツケースを開閉するための，更にはトップボックス又はスーツケースを結合・解放するためのシステムを提供することであり，該システムは：
・前述した開閉及び結合・解放装置と； 
・無線通信プロトコルによって前記デバイスと通信するように構成された電子ユニットを含む移動端末と；
を備える。
【００４６】
好適には，携帯端末の電子ユニットは，無線通信プロトコルによりトップボックス又はスーツケースの開閉コマンド信号を装置に送信するようにプログラムされる。
【００４７】
上述したように，好適には，電子ユニットはスマートフォンである。
【００４８】
好適には，スマートフォンは，専用のソフトウェアアプリケーション（アプリ）によりプログラム可能である。
【００４９】
更に，好適には，本発明に係る装置は，装置自体の状態を示す視覚的信号手段を備えることができる。例えば，デバイスは，複数のＬＥＤライトを備え，ＬＥＤライト８０，８１の表示を通じて閉鎖状態を示す構成とすることができる。
【００５０】
好適には，視覚的信号手段８０，８１は，トップボックスの閉鎖状態を示す赤色ＬＥＤ８０と，トップボックスの開放状態を示す緑色ＬＥＤ８１とを備えることができる。 
【００５１】
好適には，赤色ＬＥＤ８０の点滅状態により，装置の機能不全を示すことができる。 
【００５２】
何らかの理由により，第２のアンダーロック本体８３を回転させるための電気モータ８４を備える作動手段８が，トップボックスの開放状態（図８及び９に示す開放モード）においてブロックされるか，又は正常に機能しない場合も想定される。この場合には，第２アンダーロック本体８３を回転させ，キー２８を挿入して９０°回転させることにより，トップボックスを手動で閉鎖することができる。その際には第１アンダーロックボディ８２を，第１のアンダーロック本体８２の上側フック９１が，第２のアンダーロック本体８３の半径方向突部９２に形成されたシート９２０に嵌合するまで回転させることになる。この時点でキー２８を閉鎖位置に戻すと，第１のアンダーロック本体８２が閉鎖位置に復帰し，例えば図４及び５に示すトップボックスの閉鎖及びロックモードに戻る。
【００５３】
上記の説明から，原付車両用のトップボックス／スーツケースを開閉し，並びにそのようなトップボックス／スーツケースを原付車両に接続された支持構造体に対して結合・解放するための本発明に係る装置の特性は明らかである。
【００５４】
また，本発明に係る原付車両用のトップボックス／スーツケースの開閉及び結合・解放装置は，修正及び変更が可能であり，それらの全ては，明細書本文と一体的な部分を構成する添付の特許請求の範囲により規定される技術的範囲内であることが理解される。
【００５５】
更に，例示として記載した詳細構造は，本発明の技術的範囲内に属する技術的に均等な構成要素に置き換えることができる。
【図１】
2021501715.tif 000003
【図２】
2021501715.tif 000004
【図３】
2021501715.tif 000005
【図４】
2021501715.tif 000006
【図５】
2021501715.tif 000007
【図６】
2021501715.tif 000008
【図７】
2021501715.tif 000009
【図８】
2021501715.tif 000010
【図９】
2021501715.tif 000011
【国際調査報告】
2021501715.tif 000012
2021501715.tif 000013